(57)【要約】【課題】  作動流体導入口が開かれると液体溜空間の圧力が素早く均一に上昇し、短時間に液体を圧送できる液体圧送装置を提供する。【解決手段】  密閉容器２に作動流体導入口１１と作動流体排出口１３と液体流入口１６及び液体排出口１７を設ける。密閉容器２内にフロート３と作動流体導入口１１を開閉する給気弁２０及び作動流体排出口１３を開閉する排気弁２１を配置する。密閉容器２の液体溜空間１０に溜った液体の液面に応じて昇降するフロート３により作動流体導入口１１の給気弁２０と作動流体排出口１３の排気弁２１の開閉を切り換えて、初めに排気弁２１を開き給気弁２０を閉じて液体流入口１６から液体を流入させ、次いで排気弁２１を閉じ給気弁２０を開いて液体溜空間１０に溜った液体を液体排出口１７から圧送する。作動流体導入口１１の液体溜空間１０側開口端を形成する開口２６を液体溜空間１０の上部のほぼ中心軸Ａ上に設ける。【選択図】      図１
2007303628.tif 000002
【特許請求の範囲】
【請求項１】
密閉容器に作動流体導入口と作動流体排出口と液体流入口及び液体排出口が設けられ、密閉容器内にフロートと作動流体導入口を開閉する給気弁及び作動流体排出口を開閉する排気弁が配置され、密閉容器内の液体溜空間に溜った液体の液面に応じて昇降するフロートにより作動流体導入口の給気弁と作動流体排出口の排気弁の開閉を切り換えて、初めに排気弁を開き給気弁を閉じて液体流入口から液体溜空間に液体を流入させ、次いで排気弁を閉じ給気弁を開いて液体溜空間に溜った液体を液体排出口から圧送する液体圧送装置において、作動流体導入口の液体溜空間側開口端を液体溜空間の上部のほぼ中心軸上に設けたことを特徴とする液体圧送装置。
【発明の詳細な説明】
【技術分野】
【０００１】
本発明は、温水や燃料等の液体を圧送する液体圧送装置に関するものである。本発明の液体圧送装置は、各種蒸気使用装置で発生した復水をボイラーや廃熱利用箇所に送る装置として特に適するものである。
【背景技術】
【０００２】
従来の液体圧送装置は、密閉容器に作動流体導入口と作動流体排出口と液体流入口及び液体排出口が設けられ、密閉容器内にフロートと作動流体導入口を開閉する給気弁及び作動流体排出口を開閉する排気弁が配置され、密閉容器内の液体溜空間に溜った液体の液面に応じて昇降するフロートにより作動流体導入口の給気弁と作動流体排出口の排気弁の開閉を切り換えて、初めに排気弁を開き給気弁を閉じて液体流入口から液体溜空間に液体を流入させ、次いで排気弁を閉じ給気弁を開いて液体溜空間に溜った液体を液体排出口から圧送する液体圧送装置において、作動流体導入口の液体溜空間側開口端を液体溜空間の上部の側方に設けたものである。
【０００３】
上記従来の液体圧送装置は、液体を圧送するために作動流体導入口を開いてから、液体溜空間の圧力が所定の値まで上昇するのに時間がかかり過ぎるために、液体の圧送に時間がかかってしまう問題点があった。これは、作動流体導入口の液体溜空間側開口端が液体溜空間の上部の側部に設けられているために、液体溜空間の圧力が素早く均一に上昇しないためである。
【特許文献１】特許第３２７３３４７号
【発明の開示】
【発明が解決しようとする課題】
【０００４】
解決しようとする課題は、作動流体導入口が開かれると液体溜空間の圧力が素早く均一に上昇し、短時間に液体を圧送できる液体圧送装置を提供することである。
【課題を解決するための手段】
【０００５】
本発明は、密閉容器に作動流体導入口と作動流体排出口と液体流入口及び液体排出口が設けられ、密閉容器内にフロートと作動流体導入口を開閉する給気弁及び作動流体排出口を開閉する排気弁が配置され、密閉容器内の液体溜空間に溜った液体の液面に応じて昇降するフロートにより作動流体導入口の給気弁と作動流体排出口の排気弁の開閉を切り換えて、初めに排気弁を開き給気弁を閉じて液体流入口から液体溜空間に液体を流入させ、次いで排気弁を閉じ給気弁を開いて液体溜空間に溜った液体を液体排出口から圧送する液体圧送装置において、作動流体導入口の液体溜空間側開口端を液体溜空間の上部のほぼ中心軸上に設けたことを特徴とする。
【発明の効果】
【０００６】
本発明は、作動流体導入口の液体溜空間側開口端を液体溜空間の上部のほぼ中心軸上に設けることにより、作動流体導入口が開かれると液体溜空間の圧力が素早く均一に上昇し、短時間に液体溜空間の液体を圧送できるという優れた効果を生じる。
【発明を実施するための最良の形態】
【０００７】
本発明の液体圧送装置は、作動流体導入口の液体溜空間側開口端を液体溜空間の上部のほぼ中心軸上に設けたものである。そのため、作動流体導入口が開かれると作動流体が液体溜空間の上部のほぼ中心軸上から液体溜空間に導入され、液体溜空間の圧力が素早く均一に上昇する。そのため、短時間に液体溜空間の液体を圧送できる。
【実施例１】
【０００８】
上記の技術的手段の具体例を示す実施例を説明する（図１参照）。本実施例の液体圧送装置１は密閉容器２内にフロート３と切替え弁４及びスナップ機構５が配されたものである。密閉容器２は本体部７と蓋部８が図示しないネジによって結合され、内部に液体溜空間１０が形成されたものである。蓋部８には作動流体導入口１１，作動流体排出口１３，液体流入口１６，液体排出口１７が設けられている。
【０００９】
作動流体導入口１１の内側に給気弁２０が取り付けられ、作動流体排出口１３の内側に排気弁２１が取り付けられている。給気弁２０は弁ケース２２と弁体２３及び昇降棒２４によって構成される。弁ケース２２は軸方向に貫通孔を有し、貫通孔の上端面は弁座２５として機能する。弁ケース２２の中間部には前記した貫通孔と液体溜空間１０とを連通する４つの開口２６が設けられている。開口２６が作動流体導入口１１の液体溜空間１０側開口端を形成し、液体溜空間１０の上部のほぼ中心軸Ａ上に位置する。給気弁２０の弁ケース２２の先端は作動流体導入口１１の中にねじ込まれている。弁体２３は球状で作動流体導入口１１側にあり、昇降棒２４の上端が当接することにより開閉される。昇降棒２４は弁ケース２２の貫通孔を通って液体溜空間１０側に抜け、連接板２７に当接するようになっている。連接板２７は動力伝達軸２８に連結され、動力伝達軸２８はスナップ機構５と連結されている。排気弁２１は弁ケース２９と弁体３０と昇降棒３１によって構成される。弁ケース２９は軸方向に貫通孔を有し、貫通孔の内部に弁座３２があり、弁座３２の下から昇降棒３１の上端に保持固定された弁体３０が当接して開閉を行うものである。昇降棒３１の下端はピンで弁軸操作棒２８に連結されている。給気弁２０と排気弁２１で切替え弁４が構成され、給気弁２０が開くと排気弁２１は閉じ、給気弁２０が閉じると排気弁２１は開く。
【００１０】
フロート３はフロートアーム３４と揺動軸３５を介してブラケット３６によって支持されている。ブラケット３６は図示しないネジによって密閉容器２の蓋部８に一体的に取り付けられている。スナップ機構５はフロートアーム３４、副アーム３７、圧縮状態のコイルバネ３８で構成される。フロートアーム３４は平行に対向した２枚の板よりなり、左端にフロート３が固着され、右側部が揺動軸３５によって回転可能に支持されている。従って、フロート３は揺動軸３５を中心として上下に揺動する。フロートアーム３４の右端部は下方に突出し、突出部に揺動軸３５と平行な第１の軸３９が掛け渡されている。第１の軸３９に第１バネ受け部材４０が回転可能に支持されている。また、揺動軸３５には副アーム３７の上端部が回転可能に支持されている。副アーム３７は平行に対向した２枚の板よりなり、下端部に揺動軸３５と平行な第２の軸４１が掛け渡されている。第２の軸４１に第２バネ受け部材４２が回転可能に支持されている。第１及び第２のバネ受け部材４０，４２の間に圧縮状態のコイルバネ３８が配置されている。
【００１１】
副アーム３７上端部の揺動軸３５の右側に揺動軸３５と平行な第３の軸４５が掛け渡され、第３の軸４５に動力伝達軸２８の下端が連結されている。揺動軸３５と平行でフロートアーム３４の揺動範囲を規制するストッパー軸５１，５２がブラケット３６によって支持されている。また揺動軸３５と平行で副アーム３７の回転範囲を規制するストッパー軸５３がブラケット３６によって支持されている。
【００１２】
次に本実施例の液体圧送装置１の作用について、作動流体として蒸気を用いた場合の一連の動作手順を追うことによって説明する。まず液体圧送装置１の外部配管は作動流体導入口１１が高圧の蒸気源に接続され、作動流体排出口１３は蒸気循環配管に接続される。液体流入口１６は外部から液体溜空間１０に向かって開く逆止弁（図示せず）を介して蒸気使用装置等の負荷に接続され、液体排出口１７は液体溜空間１０から外部に向かって開く逆止弁（図示せず）を介してボイラー等の液体圧送先へ接続される。
【００１３】
本実施例の液体圧送装置１の液体溜空間１０に復水が無い場合は、図１に示すようにフロート３は底部に位置する。このとき、切替え弁４における給気弁２０が閉じられ、排気弁２１が開かれている。そして、蒸気使用装置等の負荷内で復水が発生すると、復水は圧送液体流入口１６から液体圧送装置１に流下して、液体溜空間１０に溜る。液体溜空間１０に溜った復水によってフロート３が浮上すると、フロートアーム３４が揺動軸３５を中心に時計回り方向に回転し、コイルバネ３８との連結部である第１の軸３９が左方に移動して揺動軸３５と第２の軸４１を結ぶ線の延長線上に近付き、コイルバネ３８が圧縮変形する。そしてフロート３が更に浮上して第１の軸３９が揺動軸３５と第２の軸４１を結ぶ線の延長線上を越えると、コイルバネ３８が急激に変形を回復し、副アーム３７が反時計回り方向に回転して第３の軸４５が上方にスナップ移動する。その結果、第３の軸４５に連結された動力伝達軸２８が上側にスナップ移動し、給気弁２０が開かれると共に排気弁２１が閉じられる。
【００１４】
給気弁２０が開かれて作動流体導入口１１が開放されると、開口２６から液体溜空間１０に高圧蒸気が導入される。このとき、開口２６を液体溜空間１０の上部のほぼ中心軸Ａ上に設けているので、液体溜空間１０の圧力が素早く均一に上昇し、液体溜空間１０に溜った復水は、蒸気圧に押されて圧送液体排出口１７から図示しない逆止弁を介して外部のボイラーや廃熱利用装置へ素早く排出される。復水の排出によって復水溜空間１０の液位が低下すると、フロート３が降下して、フロートアーム３４が揺動軸３５を中心に反時計回り方向に回転し、コイルバネ３８との連結部である第１の軸３９が右方に移動して揺動軸３５と第２の軸４１を結ぶ線の延長線上に近付き、コイルバネ３８が圧縮変形する。そしてフロート３が更に降下して第１の軸３９が揺動軸３５と第２の軸４１を結ぶ線の延長線上を越えると、コイルバネ３８が急激に変形を回復し、副アーム３７が時計回り方向に回転して第３の軸４５が下方にスナップ移動する。その結果、第３の軸４５に連結された動力伝達軸２８が下側にスナップ移動し、給気弁２０が閉じられると共に排気弁２１が開かれる。
【図面の簡単な説明】
【００１５】
【図１】本発明の実施例の液体圧送装置の断面図。
【符号の説明】
【００１６】
１  液体圧送装置
２  密閉容器
３  フロート
４  切替え弁
５  スナップ機構
１０  液体溜空間
１１  作動流体導入口
１３  作動流体排出口
１６  液体流入口
１７  液体排出口
２０  給気弁
２１  排気弁
２６  開口
２８  動力伝達軸
３４  フロートアーム
３５  揺動軸
３７  副アーム
３８  コイルバネ
【図１】
2007303628.tif 000003